(57)【要約】【課題】展示用パネルの壁掛け角度の変更を簡易になし得る壁掛け装置を提供する。【解決手段】展示用パネルＰの各隅角部に配置された紐通し孔２１と、４つの透孔２４が開設された掛止部材３に、展示用パネルＰの全周よりも長い寸法の吊り紐２を順次挿通して、吊り紐２の両端を結束するようになっており、展示パネルＰの壁掛け角度を変更する場合には、掛止部材３を上下方向に移動することで達成できる。【選択図】図８
2008161450.tif 000002
【特許請求の範囲】
【請求項１】
展示用パネルの外周縁に設けられ仮想方形輪郭の各隅角部に順に位置するように配置される第１乃至第４の紐通し孔と、前記展示用パネルの全周よりも長い寸法の吊り紐と、第１乃至第４の透孔が仮想方形輪郭の各隅角部に順に位置するように設けられると共に該透孔の外側に位置するように係止用孔を開設した掛止部材とからなり、
前記吊り紐を前記展示用パネルの第１紐通し孔から第２紐通し孔に挿通した後、前記掛止部材の第１透孔から第２透孔に挿通し、再び前記展示用パネルの第３紐通し孔から第４紐通し孔に挿通した後、前記掛止部材の第３透孔から第４透孔に挿通し、その両端部を結束してなることを特徴とする展示用パネルの壁掛け装置。
【発明の詳細な説明】
【技術分野】
【０００１】
本発明は、展示用パネルを任意の角度で吊り下げる展示用パネルの壁掛け装置に関する。
【背景技術】
【０００２】
従来、展示用パネルの一態様として絵画等を額縁に挟み込んだものが存在し、この展示パネルは、前部に展示物が見られる収納窓が設けられると共に後部には両側に取着された紐掛け部材間に紐を差し渡して結ぶようにしており、該紐を壁などの取付面に設けられた螺子などの固定部材に掛け止めし、取付面に対し前側へ少し傾斜した状態で吊り下げるようにしている（例えば、特許文献１参照）。
【特許文献１】特開２００４−２３０１８６号公報（第５−６頁、図４）
【発明の開示】
【発明が解決しようとする課題】
【０００３】
前記特許文献１に記載されたものは、紐の長さを調節して展示物の取付面に対する取付角度を決めているが、紐の結ぶ部分の長さを調節して所望の取付角度に合うように紐を結ぶことは非常に難しい。特に、複数の展示物を展示するような場合、各展示物ごとに紐の長さを調節しなければならず、これらの取付角度がすべて統一されるように紐を結ぶことは至難の業である。
【０００４】
そこで、本発明は、上記のような課題を解決すべくなされたもので、展示用パネルの取付面に対する取付角度の設定や変更、また縦・横の向きの変更も簡単に行なえるようにした展示用パネルの壁掛け装置を提供することを目的とするものである。
【課題を解決するための手段】
【０００５】
かかる目的を達成するため本発明に係る展示用パネルの壁掛け装置は、展示用パネルの外周縁に設けられ仮想方形輪郭の各隅角部に順に位置するように配置される第１乃至第４の紐通し孔と、前記展示用パネルの全周よりも長い寸法の吊り紐と、第１乃至第４の透孔が仮想方形輪郭の各隅角部に順に位置するように設けられると共に該透孔の外側に位置するように係止孔を開設した掛止部材とからなり、前記吊り紐を前記展示用パネルの第１紐通し孔から第２紐通し孔に挿通した後、前記掛止部材の第１透孔から第２透孔に挿通し、再び前記展示用パネルの第３紐通し孔から第４紐通し孔に挿通した後、前記掛止部材の第３透孔から第４透孔に挿通し、その両端部を結束してなることを特徴としている。
【発明の効果】
【０００６】
本発明に係る展示用パネルの壁掛け装置は、該掛止部材３を吊り紐２に沿って上下動するのみで壁などの取付面に対する取付角度を調節できる。しかも、展示用パネルの縦・横の向きに拘らず、取付角度を調節できるという効果がある。
【発明を実施するための最良の形態】
【０００７】
以下、本発明に係る展示用パネルの壁掛け装置の実施の形態を図面に基き説明する。本発明において展示用パネルとは、写真、ポスター、絵画等の絵柄紙、書道等の書き物紙などをパネル状にしたもの、あるいは、これらの絵柄紙・書き物紙などを額縁や台枠によって挟んだものをいう。本実施の形態においては、台枠に絵画を挟んだ展示用パネルを一例として説明する。図１は本発明に係る展示用パネルの表面斜視図、図２は同展示用パネルの裏面斜視図、図３は同展示用パネルのコーナー部の拡大斜視図である。展示用パネルＰは、展示物Ａを挟んで展示するパネル本体１と、該パネル本体１を壁などの取付面Ｗに吊り下げるための吊り紐２と、該吊り紐２を挿通して取付面Ｗに対するパネル本体１の傾きや縦・横の向きの変更を自在に調整すると共に、取付面Ｗに設けた螺子Ｎに係止するための掛止部材３とから構成される。
【０００８】
パネル本体１は、所定の大きさを有する長方形状の台板４と該台板４と同じ大きさに成形されその前側に重合される透明板５とを有する。本実施の形態にあっては、台板４は合成樹脂の発泡体から成形され軽量化が図られている。また、透明板５は、薄い合成樹脂板からなる。そして、台板４と透明板５との間にシート状の展示物Ａが挟着固定されることになる。これら台板４と展示物Ａ及び透明板５を重ね合わせた状態で、その周側縁に互いに対向位置する二対のフレーム６ａ，６ａ，６ｂ，６ｂが嵌着される。また、パネル本体１の四隅部、具体的には、フレーム６ａ，６ａの両側縁部分に各々２つずつ紐通し孔２１ａ，２１ｂ，２１ｃ，２１ｄが設けられている。なお、本実施の形態において、紐通し孔２１ａ，２１ｂ，２１ｃ，２１ｄは、パネル本体１のフレーム６ａ，６ｂの後述する連結具１４に開設しているが、パネル本体１に直接開設してもよい。要するに、紐通し孔２１ａ，２１ｂ，２１ｃ，２１ｄは、展示用パネルの外周縁に仮想方形輪郭を描いた場合に、その仮想方形輪郭の各隅角部に位置するようにすればよい。
【０００９】
各フレーム６ａ，６ｂは、アルミニウム等の軽金属の型枠から成形され、図５（イ）に示すようにその長手方向に対して直交する断面が略Ｈ型に成形される。すなわち、底壁部７の外面の両側縁に該底壁部７に対し外側へ直角に折れ曲る側壁部８，８が設けられ、その間に挿通溝９が成形される。また、両側壁部８，８の外端縁に、それぞれ互いに向き合うように屈曲した折曲辺部１０，１０が設けられている。一方、底壁部７の内面の両側縁には、該底壁部７に対し直角に折れ曲る挟み壁部１１，１１が設けられ、その間に差込溝１２が成形される。そして、この差込溝１２内に台板４，透明板５を差し込み嵌着されることになる。
【００１０】
各フレーム６ａ，６ｂの長手方向の両端部、詳しくは底壁部７と挟み壁部１１，１１とはその長手方向に対して４５度に切り落とされ、互いに付き合わされて当接する。また、各フレーム６ａ，６ｂにおける一方の（裏面に位置する）側壁部８には、その長手方向の各端部から所定の距離離して後記する連結具１４に設けられた係合突起１９，２２が嵌り込む係合孔１３が開設される。該各係合孔１３は、ボールペン等の棒状体の先端部が挿入できる程度の大きさを有する。
【００１１】
パネル本体１の各コーナー部では、両フレーム６ａ，６ｂの先端部が連結具１４により連結固定される。該連結具１４は、合成樹脂材により成形され、図４に示すように隣り合うフレーム６ａ，６ｂの両側壁部８，８の端部が当接する基体部１５から９０度の開き角度を保ってそれぞれ各挿通溝９に挿入される第１挿入部１６と第２挿入部１７が一体に突設される。
【００１２】
第１挿入部１６は、先端側がその長手方向に沿って二股状に分れ、その一方がその弾性に抗して撓み得る第１バネ板部１６ａになっており、フレーム６ａの挿通溝９内にきつく嵌り込む程度の幅を有する。また、その両側縁の上面には、図５（ロ）に示すように両側壁部８，８の外端縁の折曲辺部１０，１０に接して重なる段条部１８，１８が設けられる。第１挿入部１６の先端部の両側面は、挿通溝９に嵌り込み易くするため先端に向うに従い窄まるようなテーパー面に成形される。第１バネ板部１６ａの外側面には、フレーム６ａの係合孔１３に対応位置して該係合孔１３に係合する係合突起１９が突設される。この係合突起１９も、係合孔１３に係合し易くするため、その先端面が第１挿入部１６の先端に向うに従い低くなるような傾斜面に成形されている。
【００１３】
第２挿入部１７も、先端側がその長手方向に沿って二股状に分れると共にフレーム１６ｂの挿通溝９内にきつく嵌り込む程度の幅を有する。また、図５（ハ）に示すようにその両側縁の上面に両側壁部８，８の外端縁の折曲辺部１０，１０に接して重なる段条部２０，２０が設けられ、先端部の両側面が挿通溝９に嵌り込み易くするため先端に向うに従い窄まるようなテーパー面に成形される。そして、その一方がその弾性に抗して撓み得る第２バネ板部１７ａになっており、他方は第２挿通部１７を挿通溝９に嵌め込んだとき挿通溝９から外側へ突出するように高く成形され、その部位に吊り紐２が挿通され紐通し孔２１ｂが開設される。
【００１４】
第２挿入部１７にあっては、第２バネ板部１７ａの外側面に、フレーム６ｂの係合孔１３に対応位置して該係合孔１３に係合する係合突起２２が突設される。この係合突起２２も、係合孔１３に係合し易くするためその先端面が第２挿入部１７の先端に向うに従い低くなる傾斜面に成形されている。また、第２バネ板部１７ａの先端部に、係合突起２２と対応位置して摘み片部２３が突設される。この摘み片部２３も第２挿入部１７を挿通溝９に挿通したとき、その挿通溝９から外側へ突出するようになっており、該摘み片部２３を押動することによって係合孔１３から係合突起２２を外し易くしている。
【００１５】
掛止部材３は正方形状の平板からなり、図６に示すようにＯ点を中心とするその周囲に４個の透孔２４が等間隔に開設される。すなわち、透孔２４は、掛止部材３の中央に仮想方形輪郭を描いた場合に、その仮想方形輪郭の隅角部に位置するように開設されている。また、各隣り合う透孔２４，２４間の外側に、それぞれ係止用孔２５が開設される。各係止用孔２５は、大径部２５ａと該大径部２５ａの外側に位置しかつ該大径部と連通する小径部２５ｂとからなるが、これは小径部２５ｂに壁の取付面Ｗに設けられた固定部材としての螺子Ｎの胴部が嵌り、大径部２５ａはその胴部より径の大きい頭部を挿通させて螺子Ｎに吊り紐２を掛け止めできるようにするためである。該吊り紐２は、パネル本体１の外周縁の全長よりも長く約１・３倍の長さ寸法に設定されている。なお、掛止部材３は、必ずしも正方形状である必要はなく、種々の形状を選択することが可能である。また、掛止部材３は、必ずしも平板である必要もなく、ある程度の厚みをもって形成してもよい。なお、本実施の形態においては、４つの係止用孔２５を設けた例を示したが、必ずしも４つ設けなければならないわけではなく、その数は任意に選択可能である。
【００１６】
本発明に係る展示用パネルの壁掛け装置につき、展示用パネルＰを縦長にして壁の取付面Ｗに取り付ける場合を説明する。まず、展示物Ａをパネル本体１の前面に重ねると共にその前面に透明板５を重ねる。この状態で、その周縁の四側縁部を各フレーム６ａ，６ｂの差込溝１２に差し込みフレーム６ａ，６ｂを嵌着する。また、パネル本体１の各コーナー部に、横方向のフレーム６ｂ，６ｂから紐通し孔２１を開設した第２挿入部１７が突出するようにして連結具１４を配置する。そして、各縦方向のフレーム６ａ，６ａの長手方向に沿った両端部に第１挿入部１６をその第１バネ板部１６ａの弾性に抗して挿入し、各係合孔１３に各係合突起１９を係合させる。同様に、各横方向のフレーム６ｂ，６ｂの長手方向に沿った両端部に第２挿入部１７をそのバネ板部１７ａの弾性に抗して挿入し、各係合孔１３に各係合突起２２を係合させる。これにより、縦・横方向の各フレーム６ａ，６ｂが各連結具１４により連結され、しっかりと固定される。
【００１７】
次に、パネル本体１のほぼ中央部に掛止部材３を配置し、一本の吊り紐２を該パネル本体１の周囲を囲むように配置する。そして、まず、吊り紐２の先端をパネル本体１の第１紐通し孔２１ａに挿通し、次いで第２紐通し孔２１ｂに挿通する。この第２紐通し孔２１ｂに挿通した吊り紐２の先端を、今度は掛止部材３の第１透孔２４ａ、第２透孔２４ｂの順に挿通した後、再びパネル本体１に戻ってその第３紐通し孔２１ｃ，第４紐通し孔２１ｄに挿通する。この第４紐通し孔２１ｄに挿通した吊り紐２の先端を、掛止部材３の第３透孔２４ｃ，２４ｄに挿通し、最後に吊り紐２の両端部を結束する。
【００１８】
そこで、掛止部材３をパネル本体１のほぼ中央縦線に沿って上下動させると共に適宜位置で保持し、この状態で展示用のパネルＰを壁における螺子Ｎを設けた取付面Ｗに近づけ、掛止部材３の中央上部位置にある係止用孔２５に螺子Ｎを挿通させる。これにより、図７に示すように吊り紐２が張設され展示用のパネルＰが取付面Ｗに対して前側へ所定の角度傾斜した状態で掛け止められる。この際、その取付角度αの修正は、螺子Ｎから掛止部材３を外した状態で、該掛止部材３を上側又は下側へ移動させることにより簡単に行なえる。また、掛止部材３を取付面Ｗに設けた螺子Ｎに掛け止めしたときは、吊り紐２が張設して透孔２４の内周縁に食い込み移動し難くなり、その取付角度αが簡単に変わることはない。
【００１９】
前記取付角度αを初期の角度から変更したいとき、例えば図９（イ）に示すように取付角度αを大きくしたいときは掛止部材３を図８（イ）矢印ｄ方向のように下側へ移動させる。逆に、図９（ロ）に示すように取付角度αを小さくしたいときは、掛止部材３を図８（ロ）矢印ｕ方向のように上側へ移動させる。この取付角度αは、約５〜４５度の範囲で変更できることになる。
【００２０】
次に展示用パネルＰを横長にして壁の取付面Ｗに取り付けて、その取付角度を変更する場合について図１０を参照しながら説明する。この場合、取付角度を初期の角度から変更したいとき、例えば、取付角度を大きくしたいときは掛止部材３を手前側に引きながら押し下げるようにすると、パネル本体１の両側に位置する吊り紐２が上方へと移動して角度が変化する。逆に、取付角度を小さくしたいときは、掛止部材３を手前側に引きながら押し上げるようにすると、パネル本体１の両側に位置する吊り紐２が下方へと移動して角度が変化する。すなわち、展示用パネルを横長にして取り付ける場合は、掛止部材３が移動するのではなく、パネル本体１の両側に位置する吊り紐２の上下の移動によって取付角度が変化する。
【００２１】
このように、本発明に係る展示用のパネルＰは、１本の吊り紐２をそれぞれ展示用のパネルＰの四隅コーナー部に設けられた紐通し孔２１に挿通すると共にパネル本体１の外周縁における対向する一対の吊り紐を掛止部材３の透孔２４に挿通してなる。よって、該掛止部材３を吊り紐２に沿って上下動させるか、あるいは、パネル本体１の両側の吊り紐２を上下移動させるのみで壁などの取付面Ｗに対する取付角度αが決められ、その取付角度αの設定や変更が簡単に行なえることになる。また、展示用パネルＰの縦・横の向きを気にすることなく簡単に取付角度を変更することができ、使い勝手が極めて良い。
【図面の簡単な説明】
【００２２】
【図１】本発明に係る展示用パネルの表面斜視図。
【図２】同展示用パネルの裏面斜視図。
【図３】同展示用パネルのコーナー部の拡大斜視図。
【図４】同展示用パネルのコーナー部の拡大分解斜視図。
【図５】（イ）は図３のＸ−Ｘ線断面図、（ロ）は図３のＹ−Ｙ線断面図、（ハ）図３のＺ−Ｚ線断面図。
【図６】掛止部材の斜視図。
【図７】展示用パネルを壁の取付面に取り付けた状態の斜視図。
【図８】（イ）（ロ）は作用を示す展示用パネルの裏面図。
【図９】（イ）（ロ）は展示用パネルを壁の取付面に取り付けた状態の側面図。
【図１０】向きを変えた展示用パネルの作用を示す展示用パネルの裏面図。
【図１１】向きを変えた展示用パネルを壁の取付面に取り付けた状態の斜視図。
【符号の説明】
【００２３】
Ｐ              展示用パネル
２              吊り紐
３              掛止部材
２１ａ          第１紐通し孔
２１ｂ          第２紐通し孔
２１ｃ          第３紐通し孔
２１ｄ          第４紐通し孔
２４ａ          第１透孔
２４ｂ          第２透孔
２４ｃ          第３透孔
２４ｄ          第４透孔
【図１】
2008161450.tif 000003
【図２】
2008161450.tif 000004
【図３】
2008161450.tif 000005
【図４】
2008161450.tif 000006
【図５】
2008161450.tif 000007
【図６】
2008161450.tif 000008
【図７】
2008161450.tif 000009
【図８】
2008161450.tif 000010
【図９】
2008161450.tif 000011
【図１０】
2008161450.tif 000012
【図１１】
2008161450.tif 000013